(57)【要約】【課題】耐候性に優れ、広い面積を均等な光で照射可能な屋外照明装置を提供する。【解決手段】ベース円板１２上に設けられた電力制御基板１５と、この電力制御基板１５を囲むように、ベース円板１２に保持された有機ＥＬパネル２０からなる発光部１１と、発光部１１の周囲を覆う透明な樹脂カバー１３と、樹脂カバー１３の上面を覆う天蓋１６とを備えた。暗くなると、発光部の有機ＥＬパネル２０が電力制御基板１５からの供給電力により面発光し、樹脂カバー１３を介して側面周囲に均一光を発する。【選択図】図１
2011028890.tif 000002
【特許請求の範囲】
【請求項１】
ベース部に設けられた電力制御部と、この電力制御部を囲むように、前記ベース部に保持された有機ＥＬパネルからなる発光部と、該発光部の周囲を覆う光透過カバーと、該光透過カバーの上面を覆う天蓋とを備え、前記有機ＥＬパネルが電力制御部からの供給電力により面発光し、前記光透過カバーを介して、側面周囲に均一光を発することを特徴とする屋外照明装置。
【請求項２】
前記有機ＥＬパネルは、前記ベース部の板上に形成された円周溝に沿って円筒形状に立設された請求項１に記載の屋外照明装置。
【請求項３】
前記有機ＥＬパネルは、前記ベース部の板上に立設された支持筒の外周面に沿って取り付けられた請求項１に記載の屋外照明装置。
【請求項４】
前記ベース部と、前記光透過カバーと、前記天蓋とが水密性を保持して組み立てられ、その内部に前記有機ＥＬパネルが収容された請求項１乃至請求項３のいずれか１項に記載の屋外照明装置。
【請求項５】
前記電力制御部は、ベース部の板上に載置され、その周囲を前記有機ＥＬパネルが囲むように設置されたことを特徴とする請求項１乃至請求項４のいずれか１項に記載の屋外照明装置。
【発明の詳細な説明】
【技術分野】
【０００１】
本発明は屋外照明装置に係り、より詳しくは庭園灯など庭園の一角に据えられ、庭園内を柔らかで均等な光線で照らすことできる屋外照明装置に関する。
【背景技術】
【０００２】
従来、庭園灯などの屋外照明装置では、円筒形状の光源部内の中央位置に設けられた基板に複数個の高輝度ＬＥＤを配設し、ＬＥＤ発光をプラスチック製の導光レンズで拡散させて、庭園灯の周囲を照らす工夫がなされている。これらの装置では、照明内に収容する部品のコンパクト化のために、ＬＥＤが配設された基板が下方を向いている構造が多い。この場合、下方向に向けて発光するＬＥＤ光の光軸を水平方向成分が多くなるように拡散させて、円筒形状をなす照明装置の外部の側方に向けて導光させる必要がある。このため、光量が低下するという不具合がある。この不具合を解決するために、ＬＥＤの発光方向を円筒形状器具の周囲側方の四方向に向けて配置した構造の庭園灯もある。この場合、光源部内に複数枚のＬＥＤ実装基板を収容する必要がある。また、各基板を電気的に接続する必要もあり、光源部内の配線が複雑になる。また、ＬＥＤが限られた方向を向いているので、方向によって光量にムラが生じ、均等な光で庭等を照らすことができない。
【０００３】
また、光源として、コンパクト蛍光灯を用いることもある。蛍光灯器具の場合、冬期など外気温が低い環境では、点灯開始時にランプ照度を十分に得ることができないという問題がある。
【０００４】
ところで、近年、有機ＥＬ（エレクトロ・ルミネッセンス）を面光源として利用した照明装置、光源装置が開発されている（特許文献１〜３）。
【０００５】
特許文献１に開示された照明は、有機ＥＬを円柱状に加工し、複数本を並列させて、全体で面発光させる電飾看板に用いられるものである。特許文献２には、色再現範囲を広く設定可能にするために、有機ＥＬを多層の円環状に丸めて積層した発光体が開示されている。特許文献３には、発光輝度の均一性を高めることができる長尺筒状の光源装置が開示されている。
【０００６】
これら各特許文献に開示された発明では、有機ＥＬが有する均一光を面状に発する発光材としての機能性と、シート状材料として適宜切断、曲げ加工できるという加工性に着目して、所定の円筒形形状の光源を有する光源装置、照明装置として用いている。
【先行技術文献】
【特許文献】
【０００７】
【特許文献１】特開２００９−７２２７４号公報
【特許文献２】特開２００９−５９１００号公報
【特許文献３】特開２００９−７６２６９号公報
【発明の概要】
【発明が解決しようとする課題】
【０００８】
ところで、特許文献１に開示された電飾看板では、円柱状に丸めた複数本の有機ＥＬを用いるため、列状に並んだ有機ＥＬの背後に反射板を位置させて、光源からの直接光および反射板からの拡散光を利用することで、電飾看板の表示パネル全体の照度の均一化を果たしている。そのため、円柱状有機ＥＬ単独では均一な光源として機能しない。特許文献２の発光体では、支持棒の回りに発光体を多層に巻き付ける構造になっている。特許文献３では、細筒状とした発光体の両端に給電部を設けることで、筒状に丸められた光源装置を利用するようになっている。
【０００９】
これに対して、庭園灯などでは、有機ＥＬを丸めて光源とする場合でも、耐候性に富み、比較的広い面積で周囲を照射できる光源とする必要がある。そのため、有機ＥＬを曲げ加工して用い、防水性を有する構造体内に収容された、所定の円筒形状の光源とすることが好ましい。
【００１０】
また、庭園灯のような屋外照明装置として用いる場合、夜間のみに点灯するようにすることも要請されている。そこで、本発明の目的は上述した従来の技術が有する問題点を解消し、庭園灯など、耐候性に優れ、広い面積を均等な光で照射可能な屋外照明装置を提供することにある。
【課題を解決するための手段】
【００１１】
上記目的を達成するために、本発明に係る屋外照明装置は、ベース部に設けられた電力制御部と、この電力制御部を囲むように、前記ベース部に保持された有機ＥＬパネルからなる発光部と、該発光部の周囲を覆う光透過カバーと、該光透過カバーの上面を覆う天蓋とを備え、前記有機ＥＬパネルが電力制御部からの供給電力により面発光し、前記光透過カバーを介して、側面周囲に均一光を発することを特徴とする。
【発明の効果】
【００１２】
円筒形状に曲げ加工した有機ＥＬを構造体の一部に収容させるようにして光源としたので、耐候性を有するとともに、均等な光で周囲を照射できる。また、有機ＥＬの円筒形状の設定により、照明装置の円柱径を自由に設定でき、各種サイズの照明装置を提供することが可能となる。
【図面の簡単な説明】
【００１３】
【図１】本発明の屋外照明装置の主要部の外観構成を示した部分斜視図。
【図２】図１に示した屋外照明装置を分解して示した分解斜視図。
【図３】屋外照明装置の組立構造を模式的に示した断面図。
【図４】天蓋にソーラーパネルを配置し、装置内に蓄電池を装備した例を示した部分斜視図。
【図５】支柱の一部に、点灯感知用のセンサーを備えた例を示した部分斜視図。
【発明を実施するための形態】
【００１４】
以下、本発明の屋外照明装置の実施するための形態として、以下の実施例について添付図面を参照して説明する。
【実施例】
【００１５】
図１は、本発明の一実施例としての屋外照明装置１０の支柱１の上部と発光部１１とを示している。図２は、図１に示した屋外照明装置１０の分解斜視図である。本実施例の屋外照明装置１０は、図１に示したように、鋼製支柱１の上端１ａに固定されたベース円板１２と、このベース円板１２の外周に沿って下端が防水を施された状態で固定された、円筒形状の合成樹脂製からなる、光透過カバーとしての透明な樹脂カバー１３とベース円板１２上に形成された円周溝１４（図２参照）内に下端が収容された円筒形状に丸められた有機ＥＬパネル２０と、その円周溝１４で囲まれたベース円板１２上面に設置された電力制御基板１５と、樹脂カバー１３の上端を覆う天蓋１６とで組み立てられている。
【００１６】
本実施例の屋外照明装置１０への供給電源は、図１に示したように、外部の交流電源８であり、電力制御部としての電力制御基板１５により、ＡＣ−ＤＣ変換された直流電流によって有機ＥＬパネル２０を点灯させる。電力制御基板１５がＤＣ−ＤＣ変換を行うコンバータ回路の場合、外部直流電源を利用することも出来る。この場合、後述するように、たとえば支柱１内に蓄電池３（図４参照）を収納しておき、独立した電源を備えても良い。
【００１７】
上述した屋外照明装置１０の構成部品について、簡単に説明する。
支柱１は、耐候性を有する鋼管からなり、図示しない下端は庭園の地盤などに差し込み可能な形状となっている。また、剣状の先端部に代えて、図示しない脚部あるいは台座を有し、庭園の平坦な場所に脚部を広げた状態、あるいは台座の安定を図って据え付けてもよい。
【００１８】
ベース円板１２は支柱１上端に固定された樹脂製成形部品で、樹脂カバー１３、天蓋１６との接続部には、シール部材（図示せず）が介装され、風雨等によって内部空間が浸水しないようになっている。その内部空間内に有機ＥＬが収容されている。ベース円板１２の外周縁部には樹脂カバー１３の下端を支持可能な切欠が設けられ、図示しないシール材を介して樹脂カバー１３と水密可能に連結されている。また、支柱１内に配線された電力線の端部がベース円板１２の中央部に設置された電力制御基板１５に接続されている（図２参照）。本実施例では、図２に示したように、ベース円板１２の上面に円周溝１４が形成され、円筒状に丸められた有機ＥＬパネル２０の下端がこの円周溝１４に収容され、有機ＥＬパネル２０の円筒形状が保持される。なお、シール箇所はＯリング等のシール部材を用いることなく、粘性シール剤を連結部に塗布してもよい。
【００１９】
有機ＥＬパネル２０は、公知の有機ＥＬパネルの構成と同様で、図示しないＩＴＯ等の透明電極上に、正孔注入層、発光層、電子注入層等を積層して構成され、その上に金属を積層し陰極とした構造からなる。この有機ＥＬパネル２０は、有機発光物を蒸着させる基板に外力で簡単に曲がる薄い樹脂材料を用いた場合、発光面を自由に曲げることができる。図２に示したように、円筒形状に丸めた際に、下端をベース円板１２の円周溝１４内に収容させることで、円筒形状が保持される。また、パネルに給電するための電極（図示せず）はリード線２２を介して電力制御基板１５に接続されている。なお、本実施例では、高さ１００mmで所定直径の円筒形となるだけの円周長（幅）を有する帯状の有機ＥＬパネル２０（厚さ１mm）を丸めて円筒形を形成している。
【００２０】
ここで、有機ＥＬパネル２０の組込構造について、図３各図を参照して説明する。図３（ａ）は、上述したように、有機ＥＬパネル２０の下端をベース円板１２に形成された円周溝１４に収容させて円筒形状を保持した例である。使用する有機ＥＬパネル２０が薄い場合、円筒の歪みの発生を防止する必要がある。その場合には図３（ｂ）に示したように、支持筒１８をベース円板１２上に取り付け、その支持筒１８の外周部分に円筒形状の有機ＥＬパネル２０を被せるようにすることで有機ＥＬパネル２０自体を自立させない方策も好ましい。
【００２１】
樹脂カバー１３は、円筒形状に成形され、光透過性が高い耐候性を有する透明合成樹脂材である。据え付け時には、その内部に収容された有機ＥＬパネル２０の面発光状態を効率よく周囲に透過させることができる。なお、屋外照明装置１０としての効果を考慮し、板表面に曇り加工を施したり、光を散乱拡散させるような細かい凹凸を有する模様を施すこともできる。
【００２２】
天蓋１６は、樹脂カバー１３の上部に、水密性を保持して取り付けられる蓋状体である。本実施例では、天端頂部には明暗センサーとして機能する光電スイッチ２５が取り付けられている。この光電スイッチ２５は、図２に示したように、電力制御基板１５に信号線２３を介して接続されている。スイッチの動作としては、日没後等、照明装置の周囲が所定の暗さ以下になった状態で、点灯（ＯＮ）となるように設定されている。
【００２３】
図４は、天蓋１６の上面にソーラーパネル（太陽電池パネル）２６を配設し、夜間に点灯させるための電力を、昼間に内蔵した蓄電池３に充電するようにした実施例を示している。蓄電池３は、支柱１内に設置しておくことが好ましい。この実施例では、夕暮れになり、照明装置の周囲が暗くなると、ソーラー電圧がしきい値以下に低下したことが検出され、蓄電池３によって有機ＥＬパネル２０が点灯する。
【００２４】
以上に述べたように、水密性、耐光性を有する空間内に、光源として円筒形状をなした有機ＥＬを使用しているので、屋外照明装置１０として、低電力で、光源の側方周囲に対して均一な面発光を照射することができる。また、屋外装置なので、外気の影響を受けるが、外気温が低い場合でも、照明の光量低下がなく、発光の応答速度の低下もない。そこで、この作用を利用して、図５に示したように、支柱１に複数個の赤外線センサー２７を設置し、センサーの検知範囲２８における周囲の状態を検知するようにしても良い。たとえば、庭園内の通路を散策する人などの動体の移動を順次感知し、その行く先の照明を点灯させるようにすることもできる。なお、以上の説明では、「円筒形状」の用語として、平断面形状がほぼ真円の筒状体を例に図を用いて説明したが、その断面形状は、長円形、楕円形、卵形、規則的あるいは不規則な凹凸部を有する円形であっても、照明装置としての面発光機能を有効に発揮する形状であればよい。
【００２５】
その他の効果として、有機ＥＬからは紫外線が出ないので、夜間の連続点灯を行うような照明装置に用いても虫が寄り付かない。また、有機ＥＬの非発光時の表面が鏡面状になることを活かした外光反射の照明装置としての設計も可能である。
【００２６】
このように、本発明は上述した実施例に限定されるものではなく、各請求項に示した範囲内での種々の変更が可能である。すなわち、請求項に示した範囲で適宜変更した技術的手段を組み合わせて得られる実施形態も、本発明の技術的範囲に含まれる。
【符号の説明】
【００２７】
１  支柱
１０  屋外照明装置
１１  発光部
１２  ベース円板
１３  樹脂カバー
１４  円周溝
１５  電力制御基板
１６  天蓋
２０  有機ＥＬパネル
２５  光電スイッチ
２６  太陽電池パネル
【図１】
2011028890.tif 000003
【図２】
2011028890.tif 000004
【図３】
2011028890.tif 000005
【図４】
2011028890.tif 000006
【図５】
2011028890.tif 000007